(57)【特許請求の範囲】
【請求項１】
７の字形状をなすフレームと、
前記フレームの先端部に取り付けられた温度センサと、
前記フレームの基端部に取り付けられ、前記温度センサにより計測された温度を表示する温度表示器と、
を有し、
前記フレームは、直線状の３つの部材を含み、
前記各部材の連結角度が変更可能である、
ことを特徴とする温度測定装置。
【請求項２】
前記フレームの基端部に、グリップテープが巻き回された、
ことを特徴とする請求項１に記載の温度測定装置。
【請求項３】
前記フレームに、前記温度センサを視認可能なミラーが取り付けられた、
ことを特徴とする請求項１又は請求項２に記載の温度測定装置。
【発明の詳細な説明】
【技術分野】
【０００１】
本発明は、ダンプトラックに積載されたアスファルト混合物（アスファルト合材）の温度測定に適した、温度測定装置に関する。
【背景技術】
【０００２】
アスファルト舗装の施工現場にアスファルト混合物を搬送するとき、特開２００３−３３６２１０号公報（特許文献１）に記載されるように、アスファルト混合物の温度を管理することが必要である。このため、作業者がダンプトラックの荷台に登り、例えば、ハンディタイプの温度測定器を使用して、ダンプトラックに積載されたアスファルト混合物の温度を適宜測定していた。
【先行技術文献】
【特許文献】
【０００３】
【特許文献１】特開２００３−３３６２１０号公報
【発明の概要】
【発明が解決しようとする課題】
【０００４】
しかしながら、このような温度測定方法では、作業者がダンプトラックの荷台から落下するおそれがあった。また、アスファルト混合物の温度を測定するたびに、作業者がダンプトラックの荷台に登るため、その作業効率が良好ではなかった。
【０００５】
そこで、本発明は、ダンプトラックに積載されたアスファルト混合物の温度を安全かつ容易に測定可能な、温度測定装置を提供することを目的とする。
【課題を解決するための手段】
【０００６】
温度測定装置は、７の字形状をなすフレームと、フレームの先端部に取り付けられた温度センサと、フレームの基端部に取り付けられ、温度センサにより計測された温度を表示する温度表示器と、を有する。このフレームは、直線状の３つの部材を含み、各部材の連結角度が変更可能である。
【発明の効果】
【０００７】
本発明によれば、作業者がダンプトラックの荷台に登らなくても、ダンプトラックに積載されたアスファルト混合物の温度を安全かつ容易に測定することができる。
【図面の簡単な説明】
【０００８】
【図１】温度測定装置の一例を示す概要図である。
【図２】第１の関節機構の一例を示す斜視図である。
【図３】第２の関節機構の一例を示す斜視図である。
【図４】温度センサの取付構造の一例を示す斜視図である。
【図５】アスファルト混合物の温度を測定する方法の説明図である。
【発明を実施するための形態】
【０００９】
以下、添付された図面を参照し、本発明を実施するための実施形態について詳述する。
図１は、ダンプトラックに積載されたアスファルト混合物の温度を測定する、温度測定装置１００の一例を示す。
【００１０】
温度測定装置１００は、温度測定状態において７の字形状をなすフレーム２００と、フレーム２００の先端部に取り付けられた温度センサ３００と、フレーム２００の基端部に取り付けられた温度表示器４００と、を有する。ここで、「７の字形状」とは、一見して７の字の形状をなしていると認識可能な程度でよい。従って、７の字形状は、完全な７の字形状に限らず、これに類似した「Ｊ字形状」，「ヘの字形状」，「Ｌ字形状」などを含んでいる。
【００１１】
フレーム２００は、７の字形状の３辺を形成する、第１の部材２１０，第２の部材２２０及び第３の部材２３０を含む。第１の部材２１０，第２の部材２２０及び第３の部材２３０は、作業者の取り扱いを考慮して軽量化すべく、例えば、軽量かつ高剛性なアルミニウム合金，炭素繊維などを素材とする、直線状に延びるパイプからなる。パイプの横断面形状としては、例えば、製造が容易で安価な丸パイプ，角パイプなどを利用することができる。
【００１２】
第１の部材２１０は、例えば、１４００mmの全長を有し、７の字形状の基端部に位置する長辺を形成する部材である。第２の部材２２０は、例えば、６５０mmの全長を有し、７の字形状の長辺に接続される短辺を形成する部材である。第３の部材２３０は、例えば、３５０mmの全長を有し、７の字形状の先端部に位置する短辺を形成する部材である。そして、第１の部材２１０の一端部２１０Ａには、第１の関節機構２４０を介して、第２の部材２２０の一端部２２０Ａが相対回転可能に連結される。また、第２の部材２２０の他端部２２０Ｂには、第２の関節機構２５０を介して、第３の部材２３０の一端部２３０Ａが相対回転可能に連結される。従って、フレーム２００は、平面上で、第１の部材２１０と第２の部材２２０とがなす角度と、第２の部材２２０と第３の部材２３０とがなす角度を変更できるようになっている。
【００１３】
第１の関節機構２４０は、図２に示すように、第２の部材２２０の一端部２２０Ａに固定された一対の固定プレート２４２と、第２の部材２２０の中間部から第１の部材２１０に向けて先端部が斜めに延びる斜行部材２４４と、斜行部材２４４の先端部と第１の部材２１０の中間部とを搖動可能に連結する連結部材２４６と、を含む。ここで、一対の固定プレート２４２は、略矩形形状の板材からなり、例えば、締結部材の一例として挙げられる螺子５００によって第２の部材２２０の一端部２２０Ａを挟むように締結固定される。また、斜行部材２４４は、作業者の取り扱いを考慮して軽量化すべく、例えば、軽量かつ高剛性なアルミニウム合金，炭素繊維などを素材とする、直線状に延びるパイプとすることができる（以下同様）。さらに、斜行部材２４４は、フレーム２００を補強する。
【００１４】
固定プレート２４２には、第１の部材２１０の一端部２１０Ａに形成された貫通孔（図示せず）を介して、第１の部材２１０の一端部２１０Ａを異なった位置で固定すべく、締結部材の一例として挙げられる蝶ボルト５１０が挿通する３つの挿通孔２４２Ａが形成される。３つの挿通孔２４２Ａは、斜行部材２４４及び第１の部材２１０の搖動軸から等しい距離に位置する部分に形成されている。従って、固定プレート２４２に対する第１の部材２１０の固定位置を変えることで、斜行部材２４４及び第１の部材２１０の搖動軸を中心として、第２の部材２２０に対する第１の部材２１０の相対角度を任意に変更することができる。このとき、第１の部材２１０の一端部２１０Ａは、蝶ボルト５１０によって固定プレート２４２に締結固定されているので、スパナなどの工具を使用しなくとも、その固定位置を容易に変えることができる。ここで、固定プレート２４２の挿通孔２４２Ａは、３つに限らず、２つ又は４つ以上であってもよい（以下同様）。また、固定プレート２４２に対する第１の部材２１０の固定は、蝶ボルト５１０に限らず、例えば、ロックピンなどを使用することもできる（以下同様）。
【００１５】
第２の関節機構２５０は、図３に示すように、第２の部材２２０の他端部２２０Ｂに固定された一対の固定プレート２５２と、第２の部材２２０の中間部から第３の部材２３０に向けて先端部が斜めに延びる斜行部材２５４と、斜行部材２５４の先端部と第３の部材２３０の中間部とを搖動可能に連結する連結部材２５６と、を含む。ここで、一対の固定プレート２５２は、略矩形形状の板材からなり、例えば、締結部材の一例として挙げられる螺子５００によって第２の部材２２０の他端部２２０Ｂを挟むように締結固定される。また、斜行部材２５４は、フレーム２００を補強する。
【００１６】
固定プレート２５２には、第３の部材２３０の一端部２３０Ａに形成された貫通孔（図示せず）を介して、第３の部材２３０の一端部２３０Ａを異なった位置で固定すべく、締結部材の一例として挙げられる蝶ボルト５１０が挿通する３つの挿通孔２５２Ａが形成される。３つの挿通孔２５２Ａは、斜行部材２５４及び第３の部材２３０の搖動軸から等しい距離に位置する部分に形成されている。従って、固定プレート２５２に対する第３の部材２３０の固定位置を変えることで、斜行部材２５４及び第３の部材２３０の搖動軸を中心として、第２の部材２２０に対する第３の部材２３０の相対角度を任意に変更することができる。このとき、第３の部材２３０の一端部２３０Ａは、蝶ボルト５１０によって固定プレート２５２に締結固定されているので、スパナなどの工具を使用しなくとも、その固定位置を容易に変えることができる。
【００１７】
温度センサ３００は、熱電対，測温抵抗体などを利用して温度を測定する棒状のセンサであって、例えば、全長２００mm、直径２．３mm〜８．０mmの寸法に形成された、防錆及び耐久性に優れたステンレス材からなる。温度センサ３００の基端部３００Ａは、第３の部材２３０と一体化されたアダプタ２３２に対して、着脱可能に取り付けられる。アダプタ２３２の先端部には、図４に示すように、温度測定対象であるアスファルト混合物への挿入寸法を規定するために、アダプタ２３２の横断面上で外方へと広がる、例えば、薄板矩形形状，薄板円形形状をなすフランジ２３２Ａが一体化されている。なお、温度センサ３００の先端部は、アスファルト混合物への挿入を容易にする目的で、例えば、先端部に向かうにつれて横断面積が徐々に小さくなる、傾斜面，テーパ面（円錐面）などとすることもできる。
【００１８】
温度表示器４００は、第１の部材２１０の他端部２１０Ｂに近接した位置に、例えば、ブラケット４１０を介して、着脱可能に取り付けられる。温度表示器４００は、温度センサ３００から延びる信号線３１０を介して伝達された温度信号を読み込み、その温度信号に応じた温度を算出して、図示しない表示部に温度を表示する。温度表示器４００は、作業者が一目で温度を読み取り可能にすべく、温度をデジタルで表示する。なお、温度センサ３００の信号線３１０は、例えば、フレーム２００に沿わせて結束バンドで固定したり、フレーム２００の第１の部材２１０，第２の部材２２０及び第３の部材２３０の中を通すようにすればよい。
【００１９】
また、フレーム２００の第１の部材２１０の他端部２１０Ｂの近傍には、作業者が温度測定装置１００を把持し易くする目的で、温度表示器４００を挟んだ離間した２位置に、例えば、テニスラケットなどに用いられる、グリップテープ５２０が巻き回される。さらに、夜間作業時の視認性を高める目的で、フレーム２００の第１の部材２１０，第２の部材２２０及び第３の部材２３０の所定位置には、例えば、黄色の反射テープ５３０が貼り付けられる。
【００２０】
ここで、温度測定装置１００の使用方法について説明する。
ダンプトラックに積載されたアスファルト混合物の温度を測定するにあたって、所定の位置で温度を容易に測定できるようにすべく、例えば、ダンプトラックのサイズなどに合わせて、温度測定装置１００のフレーム２００を変形させる。
【００２１】
具体的には、作業者は、第１の関節機構２４０の蝶ボルト５１０を取り外し、第１の部材２１０と第２の部材２２０とが所望の角度をなす位置まで、斜行部材２４４と第１の部材２１０との搖動軸を中心として、第１の部材２１０を搖動させる。そして、作業者は、固定プレート２４２の挿通孔２４２Ａと第１の部材２１０の貫通孔とを一致させながら、ここに蝶ボルト５１０を挿通させ、固定プレート２４２に対して第１の部材２１０を締結固定する。
【００２２】
また、作業者は、第２の関節部材２５０の蝶ボルト５１０を取り外し、第２の部材２２０と第３の部材２３０とが所望の角度をなす位置まで、斜行部材２５４と第３の部材２３０との搖動軸を中心として、第３の部材２３０を搖動させる。そして、作業者は、固定プレート２５２の挿通孔２５２Ａと第３の部材２３０の貫通孔とを一致させながら、ここに蝶ボルト５１０を挿通させ、固定プレート２５２に対して第３の部材２３０を締結固定する。なお、フレーム２００の変形は、現状のフレーム２００の形状がダンプトラックに適合しないときに行えばよい。
【００２３】
次に、作業者ＯＰは、図５に示すように、フレーム２００の基端部に巻き回されたグリップテープ５２０を両手で持ちながら、ダンプトラックＤＴの側方の地面に立つ。そして、作業者ＯＰは、フレーム２００の先端部に取り付けられた温度センサ３００を、ダンプトラックＤＴに積載されたアスファルト混合物ＡＭに差し込み、フレーム２００の基端部に取り付けられた温度表示器４００を見て、アスファルト混合物ＡＭの温度を読み取る。このとき、フレーム２００の第３の部材２３０と一体化されたアダプタ２３２は、その先端部にフランジ２３２Ａが形成されているので、アスファルト混合物ＡＭに対する温度センサ３００の挿入寸法を規定することができる。このため、アスファルト混合物ＡＭの温度測定深さが略一定となり、作業者ＯＰのスキルによらず、高精度に温度を測定することができる。
【００２４】
このように、作業者ＯＰは、ダンプトラックＤＴの荷台に登る必要がないため、ダンプトラックＤＴに積載されたアスファルト混合物ＡＭの温度を安全かつ容易に測定することができる。このとき、作業者ＯＰは、温度測定装置１００の自重を利用して、温度センサ３００をアスファルト混合物ＡＭに差し込むことができるので、温度測定に要する労力をさらに軽減することができる。
【００２５】
アスファルト混合物ＡＭに対する温度センサ３００の挿入状態を確認可能とするため、フレーム２００の所定箇所にミラーを取り付けることができる。この場合、ミラーの取付箇所としては、第１の部材２１０の一端部２１０Ａ、第２の部材２２０の他端部２２０Ｂ、第３の部材２３０の一端部２３０Ａなどが考えられる。しかし、ミラーの取付箇所は、これに限られず、温度センサ３００の先端部が見える位置であればどこでもよい。
【００２６】
さらに、フレーム２００を構成する第１の部材２１０、第２の部材２２０及び第３の部材２３０のうち、少なくとも第１の部材２１０を軸方向に伸縮可能なパイプから構成することもできる。このようにすれば、荷台の高さが異なるダンプトラックＤＴにも、１台の温度測定装置１００で対応することができる。
【００２７】
フレーム２００において、第１の部材２１０と第２の部材２２０との連結、及び、第２の部材２２０と第３の部材２３０との連結は、第１の関節機構２４０及び第２の関節機構２５０に限らず、公知の関節機構を使用することもできる。また、第１の部材２１０と第２の部材２２０との連結、及び、第２の部材２２０と第３の部材２３０との連結は、相対回転不能に行うこともできる。
【符号の説明】
【００２８】
１００  温度測定装置
２００  フレーム
２１０  第１の部材
２２０  第２の部材
２３０  第３の部材
２４０  第１の関節機構
２５０  第２の関節機構
３００  温度センサ
４００  温度表示器
５２０  グリップテープ
【図１】
0006404033.tif 000002
【図２】
0006404033.tif 000003
【図３】
0006404033.tif 000004
【図４】
0006404033.tif 000005
【図５】
0006404033.tif 000006